(57)【要約】      （修正有）【課題】カバー本体を折り畳んでスタンドとし、電子機器を横向きにも、縦向きにも安定して立て掛けることができる電子機器スタンドを兼用したカバーを提供する。【解決手段】電子機器１０にヒンジ１２によって前両面に回転可能に設けられた四角形のカバー本体であって、このカバー本体は、２等辺３角形からなる中央３角面部２５と、その両側の２つの直角３角形からなる左右の３角面部２６、２７と、これらの３角面部に連続する左右の長方形面部２８、２９とに区分する。これらの左右の長方形面部の折り畳みライン３６を、前記電子機器の表面側から見て山折り方向だけ１８０度折り畳み可能とし、これら左右の長方形面部を内蔵する磁石３０、３１で互いに密着固定する。【選択図】図１
0003178092.tif 000002
【実用新案登録請求の範囲】
【請求項１】
電子機器の側縁部のヒンジによって前記電子機器の両面に回転可能に設けられた四角形のカバー本体であって、このカバー本体は、前記ヒンジ側の両端点ＡＢを結ぶ直線を底辺ＡＢとし、頂点をＤとする２等辺３角形からなる硬質の中央３角面部と、直線ＤＡ及びＤＢをそれぞれ屈曲ラインとし、かつ、底辺とする直角３角形からなる硬質の左３角面部と右３角面部と、に区分し、これらの左３角面部と右３角面部の頂点であって、前記Ｄを通る前記ＡＢと平行な直線が前記カバー本体の両側縁と交わる点をＣ及びＥとし、前記Ｄから前記ヒンジと反対側縁まで垂直に伸びた端部をＧとし、このＧを通る前記ＡＢと平行な直線が前記カバー本体の両側縁と交わる点をＦ及びＨとし、ＣＤＧＦとＤＥＨＧからなる２つの左長方形面部と右長方形面部とに区画し、前記ＡＣ及びＢＥがＣＤ及びＤＥより長くなるように設定し、前記左長方形面部と右長方形面部の折り畳みラインを、前記電子機器の表面側から見て山折り方向だけ１８０度折り畳み可能とし、これら左長方形面部と右長方形面部を内蔵する磁石で互いに密着固定することにより電子機器のスタンドとして機能せしめたことを特徴とする電子機器スタンドを兼用したカバー。
【請求項２】
中央３角面部と左３角面部と右３角面部と左長方形面部と右長方形面部は、硬質芯材からなり、これらの互いに向き合っているＡＤ，ＢＤ，ＤＧ，ＣＤ，ＤＥの各辺が隙間を有するように配置し、前記硬質芯材と隙間とを屈曲可能な軟質材で被覆し、前記ＤＥの折り畳みラインが電子機器側から見て山折り方向のみ１８０度折り畳み可能としたことを特徴とする請求項１記載の電子機器スタンドを兼用したカバー。
【請求項３】
ＤＥの折り畳みラインは、対峙する硬質芯材にそれぞれテーパー部を設け、一方向には１８０度折り畳めるが、他方向には折り畳めないようにしたことを特徴とする請求項２記載の電子機器スタンドを兼用したカバー。
【請求項４】
ＤＥの折り畳みラインは、電子機器の裏面側に折り畳み防止部材を設け、一方向には１８０度折り畳めるが、他方向には折り畳めないようにしたことを特徴とする請求項２記載の電子機器スタンドを兼用したカバー。
【請求項５】
ＡＣ及びＢＥがＣＤ及びＤＥより１．１〜１．３倍長くなるように設定したことを特徴とする請求項１，２，３又は４記載の電子機器スタンドを兼用したカバー。
【考案の詳細な説明】
【技術分野】
【０００１】
本考案は、タブレット型パソコン、スマートフォン、携帯用電子機器などの電子機器のスタンドと兼用して使用される電子機器スタンドを兼用したカバーに関するものである。
【背景技術】
【０００２】
従来、図６ないし図８に示すような電子機器スタンドを兼用したカバーが知られている（特許文献１）。
これらの図において、１０は、タブレット型パソコン、スマートフォン、携帯用電子機器などの電子機器で、この電子機器１０の長手の側縁部に、電子機器１０のディスプレイ１３を保護するためのカバー本体１１が２軸のヒンジ１２によって開閉自在に設けられている。前記ヒンジ１２は、電子機器１０とカバー本体１１を磁石等により着脱自在に設けられている。
前記カバー本体１１には、長手方向に平行な３本の屈曲ライン１４が両面に設けられ、第１カバー面部１５と第２カバー面部１６と第３カバー面部１７と第４カバー面部１８に区画されている。このカバー本体１１は、図７に示すように、細長い板状の硬質芯材１９が互いに隙間をもって並べられ、上下面に軟質被膜２０で貼着され、それぞれの硬質芯材１９の隙間部分が屈曲可能な屈曲ライン１４に形成されている。前記第１カバー面部１５と第４カバー面部１８の内部には、順次折り畳んでスタンドとして使用するときに３角筒を保持するための互いに吸着する磁石２１が設けられている。
【０００３】
電子機器１０を持ち運んだり、使用しないときには、電子機器１０の上にカバー本体１１を被せて保護する。
カバー本体１１をスタンドとして使用するときには、図８（ａ）に示すように、カバー本体１１の第４カバー面部１８側を外向きに折り畳み、第４カバー面部１８の側縁部を第１カバー面部１５と第２カバー面部１６の間の屈曲ライン１４に当接してさらに折り畳むと、３角筒が形成されるので、第２カバー面部１６をテーブル２２に接するように置き、電子機器１０の基端部をテーブル２２におくと、約１１度の傾斜角で電子機器１０が立て掛けられた状態で使用できる。このとき、第１カバー面部１５と第４カバー面部１８が磁石２１で吸着して３角筒が保持される。
また、３角筒を形成した状態で図８（ｂ）に示すように、第１カバー面部１５の下向き面をテーブル２２に接するようにおき、電子機器１０のヒンジ１２側部をテーブル２２におくと、約７５度の傾斜角で電子機器１０が立て掛けられた状態で使用される。
さらに、図８（ｂ）において、３角筒をグリップとして手で握るようにして持てば、電子機器１０は、縦向きにして使用することもできる。
【０００４】
また、図９（ａ）（ｂ）（ｃ）に示すような電子機器スタンドを兼用したカバーが知られている（特許文献２）。
スタンドとカバーを兼用する支持プレート４０は、下部プレート４１と屈曲自在に連結され、この連結部には、電子機器１０を立て掛けるための切り込み４２が設けられている。前記支持プレート４０は、前記切り込み４２側に２等辺３角形４３が位置し、この２等辺３角形４３の両側に直角３角形４４と４５が位置し、前記切り込み４２の反対側に長方形４６と４７が位置するように区分され、これらの境界線は、屈曲可能な折り跡４８となっている。
【０００５】
以上のような構成において、カバーとして使用するときには、下部プレート４１を電子機器１０の裏側にセットし、支持プレート４０で電子機器１０のディスプレイ１３側を覆って保護する。
スタンドとして使用するときには、支持プレート４０を下部プレート４１と鈍角になるように折り込み、直角３角形４４と４５を後ろ向きに折り込み、長方形４６と４７を接触させ、図９（ｂ）のように側縁部５１と５２がテーブル２２に接するようにて電子機器１０を横置きにして立て掛ける。
このスタンドには、電子機器１０を縦置きにして立て掛けることもできる。
【先行技術文献】
【特許文献】
【０００６】
【特許文献１】意匠登録第１４２９３３９号公報。
【特許文献２】実用新案登録第３１７１６５０号公報。
【考案の概要】
【考案が解決しようとする課題】
【０００７】
特許文献１に記載のものは、３角筒をスタンドとして使用する場合、図８（ａ）（ｂ）に示すように、いずれも電子機器１０のディスプレイ１３を横向きにしか立てかけることができない。また、図８（ｂ）に示すように、約７５度で立て掛けた場合、スタンドとしての３角筒が手前側にあり、かつ、第１カバー面部１５の面積が小さいので、電子機器１０の上方部のディスプレイ１３を手で触って操作しようとすると、転倒してしまう恐れがあるという問題があった。
【０００８】
特許文献２に記載のものは、支持プレート４０と下部プレート４１が一体のものであることが前提なので、下部プレート４１の切り込み４２部分に電子機器１０を横置きにのせて図９（ｂ）に示すように立てかけて使用する。電子機器１０を縦置きにのせて立てかけて使用することもできる。
しかし、支持プレート４０の切り込み４２部分に電子機器１０を横置きにのせたまま、電子機器１０を９０度傾けて縦置きに使用しようとすると、図９（ｃ）に示すように、長方形４６と４７の端縁部がテーブル２２に接したとき、折り跡４８部分が不安定なために電子機器１０の重さで折り跡４８部分が折れ曲がり、電子機器１０が２点鎖線の位置まで傾いてしまう恐れがあり、安定して保持することができない。
また、長方形４６と４７を接触するように重ね合わせた時に固定するのは、取り付け孔５０に結び帯び５０を通すという面倒な作業を必要とする。
【０００９】
本考案は、電子機器の側縁部にカバー本体を取り付けたタイプの電子機器スタンドを兼用したカバーにおいて、カバー本体を折り畳んでスタンドとした場合、電子機器を横向きにも、また、縦向きにも安定して立て掛けることができるとともに、電子機器におけるディスプレイのどの位置を手で触って操作してと、転倒してしまうおそれのない電子機器スタンドを兼用したカバーを提供しようとするものである。
【課題を解決するための手段】
【００１０】
本考案による電子機器スタンドを兼用したカバーは、電子機器の側縁部のヒンジによって前記電子機器の両面に回転可能に設けられた四角形のカバー本体であって、このカバー本体は、前記ヒンジ側の両端点ＡＢを結ぶ直線を底辺ＡＢとし、頂点をＤとする２等辺３角形からなる硬質の中央３角面部と、直線ＤＡ及びＤＢをそれぞれ屈曲ラインとし、かつ、底辺とする直角３角形からなる硬質の左３角面部と右３角面部と、に区分し、これらの左３角面部と右３角面部の頂点であって、前記Ｄを通る前記ＡＢと平行な直線が前記カバー本体の両側縁と交わる点をＣ及びＥとし、前記Ｄから前記ヒンジと反対側縁まで垂直に伸びた端部をＧとし、このＧを通る前記ＡＢと平行な直線が前記カバー本体の両側縁と交わる点をＦ及びＨとし、ＣＤＧＦとＤＥＨＧからなる２つの左長方形面部と右長方形面部とに区画し、前記ＡＣ及びＢＥがＣＤ及びＤＥより長くなるように設定し、前記左長方形面部と右長方形面部の折り畳みラインを、前記電子機器の表面側から見て山折り方向だけ１８０度折り畳み可能とし、これら左長方形面部と右長方形面部を内蔵する磁石で互いに密着固定することにより電子機器のスタンドとして機能せしめたことを特徴とする。
【考案の効果】
【００１１】
請求項１記載の考案によれば、電子機器にカバー本体を取り付けた状態で、スタンドを組み立て、そのままで電子機器を横置きにも縦置きにも安定して立て懸けることができる。また、左長方形面部と右長方形面部を磁石で固定するので、取り付け孔に結び帯びを通すという面倒な作業を必要としない。
【００１２】
請求項２記載の考案によれば、硬質芯材と隙間とを屈曲可能な軟質材で被覆し、前記左長方形面部と右長方形面部の結合部分のみの折り畳みラインが電子機器側から見て山折り方向のみ１８０度折り畳み可能としたので、他の屈曲ラインの構造は、いずれの面にも屈曲できるという簡単な構成にすることができる。
【００１３】
請求項３記載の考案によれば、ＤＥの折り畳みラインは、対峙する硬質芯材にそれぞれテーパー部を設けるという簡単な構成で、一方向には１８０度折り畳めるが、他方向には折り畳めないようにすることができる。
【００１４】
請求項４記載の考案によれば、ＤＥの折り畳みラインは、電子機器の裏面側に折り畳み防止部材を設けたので、すべての屈曲ラインは、両方向に屈曲できる構成とし、必要な１箇所だけ一方向には１８０度折り畳めるが、他方向には折り畳めないようにして目的を達成できる。
【００１５】
請求項５記載の考案によれば、ＡＣ及びＢＥがＣＤ及びＤＥより１．１〜１．３倍長くなるように設定したので、電子機器の横置きでも、縦置きでも安定した角度で立て掛けることができる。
【図面の簡単な説明】
【００１６】
【図１】本考案による電子機器スタンドを兼用したカバーの一実施例を示す正面図である。
【図２】本考案による図１における折り畳みラインの一部を拡大し断面にした平面図で、（ａ）は、重ね合わせ前の断面図、（ｂ）は、一方向に屈曲して重ね合わせた断面図、（ｃ）は、他方に屈曲しても重ね合わせができない状態の断面図である。
【図３】折り畳みラインの他の実施例を示すもので、（ａ）は、重ね合わせ前の断面図、（ｂ）は、一方向に屈曲して重ね合わせた断面図、（ｃ）は、他方に屈曲しても重ね合わせができない状態の断面図である。
【図４】本考案による電子機器スタンドを兼用したカバーを横置きスタンドとして折り畳んだ状態を示すもので、（ａ）は、カバー本体１１を折り畳む前（２点鎖線）と折り畳んだ後（実線）と電子機器を立て掛けたとき（２点鎖線）を示す斜視図、（ｂ）は、折り畳んだカバー本体（実線）に電子機器を立て掛けたときの背面からみた斜視図、（ｃ）は、折り畳んだカバー本体に電子機器を立て掛けたときの側面図である。
【図５】本考案による電子機器スタンドを兼用したカバーを縦置きスタンドとして折り畳んだ状態を示すもので、（ａ）は、折り畳んだカバー本体（実線）に電子機器を立て掛けたとき（２点鎖線）の背面左方から見た斜視図、（ｂ）は、折り畳んだカバー本体（実線）に電子機器を立て掛けたとき（２点鎖線）の背面右方から見た斜視図、（ｃ）は、折り畳んだカバー本体に電子機器を立て掛けたときの側面図である。
【図６】特許文献１記載のカバー本体１１（実線）と電子機器（２点鎖線）の正面図である。
【図７】図６におけるカバー本体の一部拡大し断面にした平面図である。
【図８】図６のカバー本体をスタンドとしての使用例を示すもので、（ａ）は、電子機器を低い角度で立て掛けたときの側面図、（ｂ）は、電子機器を高い角度で立て掛けたときの側面図である。
【図９】（ａ）は、特許文献２記載の支持プレートと下部プレートの正面図、（ｂ）は、電子機器を横置きスタンドに横置きとした状態の背部から見た斜視図、（ｃ）は、電子機器を横置きスタンドとともに縦置きとした状態の側面図である。
【考案を実施するための形態】
【００１７】
本考案は、電子機器の側縁部のヒンジによって前記電子機器の両面に回転可能に設けられた四角形のカバー本体であって、このカバー本体は、前記ヒンジ側の両端点ＡＢを結ぶ直線を底辺ＡＢとし、頂点をＤとする２等辺３角形からなる硬質の中央３角面部と、直線ＤＡ及びＤＢをそれぞれ屈曲ラインとし、かつ、底辺とする直角３角形からなる硬質の左３角面部と右３角面部と、に区分し、これらの左３角面部と右３角面部の頂点であって、前記Ｄを通る前記ＡＢと平行な直線が前記カバー本体の両側縁と交わる点をＣ及びＥとし、前記Ｄから前記ヒンジと反対側縁まで垂直に伸びた端部をＧとし、このＧを通る前記ＡＢと平行な直線が前記カバー本体の両側縁と交わる点をＦ及びＨとし、ＣＤＧＦとＤＥＨＧからなる２つの左長方形面部と右長方形面部とに区画する。
前記ＡＣ及びＢＥがＣＤ及びＤＥより長くなるように設定し、前記左長方形面部と右長方形面部の折り畳みラインを、前記電子機器の表面側から見て山折り方向だけ１８０度折り畳み可能とし、これら左長方形面部と右長方形面部を内蔵する磁石で互いに密着固定することにより電子機器のスタンドとして機能せしめる。
【００１８】
中央３角面部と左３角面部と右３角面部と左長方形面部と右長方形面部は、硬質芯材からなり、これらの互いに向き合っているＡＤ，ＢＤ，ＤＧ，ＣＤ，ＤＥの各辺が隙間を有するように配置し、前記硬質芯材と隙間とを屈曲可能な軟質材で被覆し、前記ＤＥの折り畳みラインが電子機器側から見て山折り方向のみ１８０度折り畳み可能とする。
【００１９】
ＤＥの折り畳みラインは、対峙する硬質芯材にそれぞれテーパー部を設け、一方向には１８０度折り畳めるが、他方向には折り畳めないようにする。
【００２０】
ＤＥの折り畳みラインは、電子機器の裏面側に折り畳み防止部材を設け、一方向には１８０度折り畳めるが、他方向には折り畳めないようにする。
【００２１】
ＡＣ及びＢＥがＣＤ及びＤＥより１．１〜１．３倍長くなるように設定する。
【実施例１】
【００２２】
本考案による電子機器用カバーの一実施例を図１及び図２に基づき説明する。
図１において、１０は、タブレット型パソコン、スマートフォン、携帯用電子機器などの電子機器で、この電子機器１０の長手の側縁部に、電子機器１０のディスプレイ１３を保護するためのカバー本体２３がヒンジ１２によって開閉自在に設けられている。前記ヒンジ１２は、電子機器１０とカバー本体２３を磁石等により着脱自在に設けられているものであってもよいし、固定的に取り付けたものであってもよい。
【００２３】
前記カバー本体２３は、前記電子機器１０と略同一寸法とし、横ｍ、縦ｎの長方形とする。このカバー本体２３は、内部に硬質のプラスチックなどの薄板の硬質芯材３２を用い、この硬質芯材３２の両面を軟質で屈曲し易い布状の内側被膜３３と外側被膜３４で被覆したもので、ディスプレイ１３に接触する側の内側被膜３３は、ディスプレイ１３を傷つけず、かつ、被せたときクリーニングするような素材が望ましく、外側の外側被膜３４は、汚れにくい素材が望ましい。
【００２４】
前記硬質芯材３２は、ヒンジ１２側を底辺とする２等辺３角形をなした中央３角面部２５と、この中央３角面部２５の両側の斜線を一辺とする直角３角形をなした左３角面部２６と右３角面部２７と、これらの左３角面部２６と右３角面部２７の一辺に連続する長方形をなした左長方形面部２８と右長方形面部２９とからなる。これらの中央３角面部２５と左３角面部２６と右３角面部２７と左長方形面部２８と右長方形面部２９は、隙間をもって配置されて前記内側被膜３３と外側被膜３４で被覆されることにより、隙間部分が折曲可能な屈曲ライン２４ａと２４ｂと２４ｃと２４ｄを構成している。
【００２５】
ただし、前記左長方形面部２８と右長方形面部２９の隙間部分は、一方向のみに１８０度の折り畳み可能な折り畳みライン３６となっている。具体的には、前記折り畳みライン３６は、図２（ａ）に示すように、２つの硬質芯材３２の対峙する部分は、テーパー部３７となっており、１８０度折り畳む側の前記外側被膜３４は、略直線的で、反対の内側被膜３３側には、十分な余裕を持たせておく。このような構成とすることにより、左長方形面部２８と右長方形面部２９を外側被膜３４側に折り畳むと、図２（ｂ）に示すように、１８０度折り畳まれて左長方形面部２８と右長方形面部２９が全面で接触する。逆に、左長方形面部２８と右長方形面部２９を内側被膜３３側に折り畳むと、図２（ｃ）に示すように、外側被膜３４が伸びず、かつ、対峙するテーパー部３７が接触して左長方形面部２８と右長方形面部２９は、１８０度より十分小さな角度で折曲するだけで互いに面接触することはない。
【００２６】
前記中央３角面部２５の各点をＡ，Ｂ，Ｄとし、前記左３角面部２６の各点をＡ，Ｃ，Ｄとし、前記右３角面部２７の各点をＢ，Ｄ，Ｅとし、前記左長方形面部２８の各点をＣ，Ｄ，Ｇ，Ｆとし、前記右長方形面部２９の各点をＤ，Ｅ，Ｈ，Ｇとする。
前記左長方形面部２８と右長方形面部２９には、互いに重ね合わせたとき、互いに密着して固定されるように、両端部と中央部にそれぞれ端部磁石３０と中央磁石３１が内蔵されている。
【００２７】
前記カバー本体２３をスタンドとして使用するためには、前記左長方形面部２８と右長方形面部２９の間の折り畳みライン３６を、図１のようにディスプレイ１３と内側被膜３３を同一面とした状態で山折りとする。すると、屈曲ライン２４ａと２４ｂを山折りしつつ、屈曲ライン２４ｃと２４ｄを谷折りとなる。このとき、図４（ａ）に示すように、点Ｃ，Ｅの接触点が中央３角面部２５の面より上方になることが必要である。具体的には、左３角面部２６のＣＤ辺と右３角面部２７のＤＥ辺の水平辺長さｘと、左３角面部２６のＡＣ辺と右３角面部２７のＢＥ辺の垂直辺長さｙの設定が重要になり、次のようにして設定する。
【００２８】
カバー本体２３の横：縦の長さ＝ｍ：ｎとしたとき、水平辺長さｘ＝ｍ／２であり、ｘ＜ｙの時に、ＣＤとＤＥは接してスタンドとなる３角形が形成される。具体的には、ｍ：ｎ＝１．３：１とし、ｘ：ｙ＝１：１．２の時、図３（ａ）（ｃ）に示すようにＡＤ（又はＥ）Ｂの３角形が形成されて、前記左長方形面部２８と右長方形面部２９が端部磁石３０と中央磁石３１により１８０度折り畳まれて密着し、固定される。このように折り畳まれて形成される折れ線ＡＣＦと折れ線ＢＥＦと直線ＡＢは、電子機器１０が立てかけられるテーブル２２と同一面とになる。
このとき、電子機器１０をヒンジ１２で回転して立て掛けたときの角度θ１＝約６０度となる。このときスタンド３５として重心位置が十分後方にあるので、電子機器１０は安定しおり、ディスプレイ１３を操作しても倒れることはない。
【００２９】
次に、電子機器１０を縦置きにして使用するときには、図３（ａ）のスタンドに電子機器１０を横置きにして立て掛けたまま９０度倒して、電子機器１０の短い側縁部をテーブル２２等に接触させる。すると、図５（ａ）（ｂ）（ｃ）に示すように、直線ＢＤと直線ＤＧが折れ線であるが、前記左長方形面部２８と右長方形面部２９が端部磁石３０と中央磁石３１により１８０度折り畳まれてしっかりと密着し、固定され、同一面であるからテーブルに接してスタンド３５として機能する。このときの立て掛け角度θ２＝約４０度となる。この場合も重心位置が十分後方にあるので、電子機器１０は安定しおり、ディスプレイ１３を操作しても倒れることはない。
【００３０】
前記実施例では、ｘ：ｙ＝１：１．２としたが、ｘに対するｙの長さの比が大きくなると、θ１は、低くなり、θ２は高くなる。逆にｘに対するｙの長さの比が小さくなると、θ１は、高くなり、θ２は低くなる。スタンドとして安定した角度に設定する場合は、ｘ：ｙ＝１：１．１〜１．３程度が望ましい。
【００３１】
前記実施例では、電子機器１０とカバー本体２３は、長方形としたが、これに限らず、正方形であってもよい。
前記左長方形面部２８と右長方形面部２９の結合部を一方向だけ折り畳めるようにするための折り畳みライン３６の構成は、図２の例に限られるものではない。屈曲ライン２４ａと２４ｂと２４ｃと２４ｄと同様に、左長方形面部２８と右長方形面部２９の結合部も山折りによっても、谷折りによっても１８０度の折り畳みが可能な構成とし、図３（ａ）に示すように、左長方形面部２８と右長方形面部２９の結合部のみに、１８０度折り畳む側に、屈曲するが伸縮しない折り畳み防止部材３８を貼り付けるようにしてもよい。このような構成とすることにより、図２（ｂ）に示すように、折り畳み防止部材３８側には１８０度折り畳めるが、図２（ｃ）のように、折り畳み防止部材３８の反対側には、１８０度折り畳めない。この場合、屈曲部分の構成をすべて共通化できる。
前記実施例では、左長方形面部２８と右長方形面部２９の結合部の折り畳みライン３６を一方向のみに折り畳むようにしたが、折り畳みライン３６は、山折りでも谷折りでも１８０度折り畳むことができる構成とし、それ以外の屈曲ライン２４ａと２４ｂのいずれか一方を谷折りができない構造とするか、又は、屈曲ライン２４ｃと２４ｄのいずれか一方を山折りができない構造とするようにしてもよい。
【符号の説明】
【００３２】
１０…電子機器、１１…カバー本体、１２…ヒンジ、１３…ディスプレイ、１４…屈曲ライン、１５…第１カバー面部、１６…第２カバー面部、１７…第３カバー面部、１８…第４カバー面部、１９…硬質芯材、２０…軟質被膜、２１…磁石２テーブル…テーブル、２３…カバー本体、２４…屈曲ライン、２５…中央３角面部、２６…左３角面部、２７…右３角面部、２８…左長方形面部、２９…右長方形面部、３０…端部磁石、３１…中央磁石、３２…硬質芯材、３３…内側被膜、３４…外側被膜、３５…スタンド、３６…折り畳みライン３６ぬ、３７…テーパー部３７ぬ、８８…折り畳み防止部材３８ぬ、３９…１３９−、４０…支持プレート４０−、４１…下部プレート４２等辺３角形４３…切り込み４２−、４４…直角３角形４４−、４５…直角３角形４５−、４６…長方形４６−、４７…長方形４７−、４８…折り跡４８−、４９…取り付け孔４９−、５０…結び帯び５０−、５１…側縁部５１。
【図１】
0003178092.tif 000003
【図２】
0003178092.tif 000004
【図３】
0003178092.tif 000005
【図４】
0003178092.tif 000006
【図５】
0003178092.tif 000007
【図６】
0003178092.tif 000008
【図７】
0003178092.tif 000009
【図８】
0003178092.tif 000010
【図９】
0003178092.tif 000011